(57)【特許請求の範囲】
【請求項１】
バルブをＤＣモータで開閉する電動アクチュエータであって、電源供給部と二次電源部を制御部を介してＤＣモータに接続し、前記制御部は、一定期間内にバルブの開閉動作が行われていないと判定した場合に、前記バルブの通過漏れが発生しない範囲内又は流量を満足する範囲内の角度で、二次電源部に充電された電力を用いてＤＣモータを微動動作させる自己アイドリング機能を有すると共に、微動動作時のＤＣモータに電流が流れていない場合には、少なくともＤＣモータにおけるコンミテータの接触不良と診断する自己診断機能を有することを特徴とするバルブ用電動アクチュエータ。
【請求項２】
前記バルブは、バタフライバルブ又はボールバルブであり、バタフライバルブの場合における前記微動動作は、開度０〜８％、あるいは開度９０〜１００％の範囲内で行うようにした請求項１に記載のバルブ用電動アクチュエータ。
【請求項３】
請求項１又は２に記載のバルブ用電動アクチュエータを搭載した緊急遮断弁・緊急開放弁。
【請求項４】
感震器に接続された請求項３に記載の緊急遮断弁・緊急開放弁。
【請求項５】
バルブをＤＣモータで開閉する電動アクチュエータであって、電源供給部と二次電源部を制御部を介してＤＣモータに接続し、前記制御部は、一定期間内にバルブの開閉動作が行われていないと判定した場合に、前記バルブの通過漏れが発生しない範囲内又は流量を満足する範囲内の角度で、二次電源部に充電された電力を用いてＤＣモータを微動動作させる自己アイドリング機能を有すると共に、微動動作時のＤＣモータに電流が流れていない場合には、少なくともＤＣモータにおけるコンミテータの接触不良と診断する自己診断機能を有することを特徴とするバルブ用電動アクチュエータの異常診断方法。
【請求項６】
前記バルブは、バタフライバルブ又はボールバルブであり、バタフライバルブの場合における前記微動動作は、開度０〜８％、あるいは９０〜１００％の範囲内で行うようにした請求項５に記載のバルブ用電動アクチュエータの異常診断方法。
【発明の詳細な説明】
【技術分野】
【０００１】
本発明は、バルブ用電動アクチュエータと緊急遮断弁・緊急開放弁並びにバルブ用電動アクチュエータの異常診断方法に係り、特に、ボールバルブ、バタフライバルブ等の回転バルブに搭載され、緊急時にバルブを全閉または全開させるバルブ用電動アクチュエータに関する。
【背景技術】
【０００２】
従来から、水や薬品等の流体を流す配管系には電動バルブが使用され、遠隔操作によりバルブを開閉して流体の流れを制御している。この様な配管システムでは、停電や地震、火災等が発生した緊急時には、速やかに管路を全閉状態または全開状態にすることが必要となる。
【０００３】
現在、緊急時に管路を全閉状態または全開状態とするためのバルブに使用する緊急用電動アクチュエータの型式には、機械式スプリング型と二次電源駆動型が知られている。
【０００４】
機械式スプリング型電動アクチュエータは、電動アクチュエータの駆動軸にスプリングを搭載し、弁体を回転させる際に弁体をその逆方向に回転させる復元力を貯えるようにスプリング巻き上げ、停電により電源の供給が遮断された際には、巻き上げによりスプリングに貯えられた復元力のエネルギで駆動軸を回転させ、バルブを全閉状態又は全開状態にするものである。
【０００５】
二次電源駆動型電動アクチュエータは、直流モータと二次電源を搭載し、交流電源が供給されているときは、交流電源を直流に変換してモータを駆動させて弁体を所定の開度に維持し、停電により交流電源が遮断されると、直流である二次電源によりモータを駆動して、バルブを全閉状態又は全開状態とするものである。
【０００６】
機械式スプリング型電動アクチュエータは、弁体を回転させる際に同時にスプリングを巻き上げるため、モータには弁体を回転させる負荷とスプリングを巻き上げる負荷が同時に作用することになる。このため、トルクが大きい大型のモータが必要であり、アクチュエータの大型化と重量化を招く欠点がある。
【０００７】
これに対し、二次電源駆動型電動アクチュエータは、機械式スプリング型電動アクチュエータのような欠点を有さず、近年、二次電源として従来の二次電池より劣化が少なく長寿命の電気二重層コンデンサが使用されるようになっている。
【０００８】
緊急用電動アクチュエータを緊急遮断バルブで使用する場合には、バルブは常時、全開や中間開度状態で維持されており、緊急時（停電、地震、火災等の発生時）に外部電源や二次電池によって直流モータを駆動してバルブを強制的に全閉状態とする。一方、緊急開放弁で使用する場合には、バルブは常時、全閉状態で維持されており、緊急時に外部電源や二次電池によって直流モータを駆動したバルブを強制的に全開状態とする。この様に、緊急遮断（開放）バルブは長期間にわたり全開状態もしくは全閉状態に保たれ、例えバルブの定期点検を実施したとしても、１年に１回程度しか弁を作動させる機会がないのが普通である。
【０００９】
通常、緊急用電動アクチュエータの二次電源として電気二重層コンデンサを用いる場合には、コスト的に電動アクチュエータの駆動源としてＤＣブラシモータが採用される場合が多い。ＤＣブラシモータを用いた電動アクチュエータが長時間停止していると、モータの整流器（ブラシ及びコンミテータ）部分のコンミテータは銅系金属で作られているため、長時間空気中に晒されることにより表面部分が酸化してブラシとの接触抵抗が増大し、モータのアマチュア（電機子コイル）に電流が流れなくなる接点障害が発生することにより、起動時に動作不能に陥るおそれがある。
【００１０】
ＤＣブラシモータの整流器部分だけでなく、電動アクチュエータの開閉位置を決定するリミットスイッチについても、長時間アクチュエータが停止していると接点の表面が酸化し、接触抵抗が増大することによって動作不能、誤作動が発生するおそれがある。
【００１１】
また、アクチュエータの長時間の停止状態によって、アクチュエータ出力軸、ギア軸受け部及びＤＣモータの軸受け部からの潤滑油の流出、枯渇等による軸の焼き付き、固着が発生し、アクチュエータが作動不能に陥るおそれもある。さらには、アクチュエータの減速ギア部にグリス潤滑油膜の切れ、水分の混入による変質等が発生し、ギア焼き付きによる動作不能が発生するおそれもある。
【００１２】
バルブが長時間全開、全閉状態に置かれていると、ボールシートやジスクにスラッジ等の堆積物が堆積して弁部に固着が発生するとともに、ステム部にも固着が発生し、バルブの動作不能が生じるおそれがある。この不具合は、二次電源駆動型電動アクチュエータだけでなく、簡単な機構で緊急時に弁体を回転させることができるために信頼性が高いと考えられている機械式スプリング型電動アクチュエータでも発生する可能性があり、緊急時に動作不能となるおそれを排除することができない。
【００１３】
二次電源に電気二重層コンデンサを用いた緊急用電動アクチュエータが長時間停止状態にあると、従来の蓄電池に比して劣化が少なく長寿命である電気二重層コンデンサであっても、劣化による容量の低下等が発生し、緊急作動時にバルブを作動させるために必要な電力供給をすることができず、作動不能に陥るおそれがある。
【００１４】
緊急遮断（開放）バルブは、事前の予測することが不可能で突如発生する緊急時において確実に作動することが求められるため、常時、緊急用電動アクチュエータを含むバルブ機能を正常に維持すると共に、モータに電力を供給する二次電源である電気二重層コンデンサの電力供給能力を維持し、緊急作動時の作動不能を防止する必要がある。
【００１５】
この防止対策の一例として、特許文献１が提案されている。特許文献１には、長期間使用しなかった場合、流量制御弁の止水部のパッキンが弁軸に締めついたり、また水圧により流量調整弁と本体が絡み合ってしまうことによる始動時のトルク増大を防止するため、流量調整弁が閉止した後一定時間経過するごとに信号を出力するタイマ手段と、タイマ手段の信号により流量調整弁を第１の閉止位置検出手段と第２の閉止位置検出手段の間で駆動する制御手段とを備えた流量制御装置が記載されている。
【００１６】
また、特許文献２には、フル充電された電気二重層キャパシタに放電抵抗を接続し、その放電抵抗を所定時間接続した後に電気二重層キャパシタの端子電圧を測定して、その測定した端子電圧とフル充電された電気二重層キャパシタの該放電抵抗についての寿命判断の基準となる放電特性における該所定時間経過後の残電圧とを比較して寿命を判定する電気二重層キャパシタの診断方法とその方法を用いた劣化検出装置を備えた緊急遮断弁が記載されている。
【先行技術文献】
【特許文献】
【００１７】
【特許文献１】特開平８−１００８６４号公報
【特許文献２】特開２００６−１７３３８５号公報
【発明の概要】
【発明が解決しようとする課題】
【００１８】
しかしながら、特許文献１に記載された流量制御装置は、長期間作動しないことにより流量調節弁の止水部のパッキンが流量調節弁の弁軸に締めつくことや、または水圧により流量調整弁と本体が絡み合ってしまい流量制御弁が固着することを防ぐことはできるが、流量調節弁の止水部や流量制御弁駆動手段の内部の劣化状況を事前に把握し、流量制御装置が作動不能になる前に劣化状況に応じた措置を講じることにより、該装置が作動不能となる事態を回避することはできない。
【００１９】
特許文献２に記載された電気二重層キャパシタの診断方法とその方法を用いた劣化検出装置を備えた緊急遮断弁では、例えば定期点検の時に診断スイッチを作動させて電気二重層キャパシタの劣化状況を診断することができるが、電気二重層キャパシタの劣化状況は作為して点検しないと把握することができないので、点検と点検の間に電気二重層キャパシタの劣化が進んだ場合には、電気二重層キャパシタの電力供給能力の低下を把握して良品と交換することができず、緊急時にバルブを緊急遮断（開放）することができない事態が発生する可能性がある。
【００２０】
本発明は、上記の課題を解決するために開発したものであり、その目的とするところは、定期的かつ自動的に電動アクチュエータ及び該アクチュエータを搭載したバルブの信頼性を回復させるとともに、該アクチュエータ及び内蔵する二次電池、並びに搭載したバルブに不具合が発生した場合には、その不具合を解消するためのメンテナンスが可能であり、もって緊急時に確実にバルブを全閉状態又は全開状態にすることができるバルブ用電動アクチュエータと緊急遮断弁・緊急開放弁並びにバルブ用電動アクチュエータの異常診断方法を提供することにある。
【課題を解決するための手段】
【００２１】
上記目的を達成するため、請求項１に係る発明は、バルブをＤＣモータで開閉する電動アクチュエータであって、電源供給部と二次電源部を制御部を介してＤＣモータに接続し、制御部は、一定期間内にバルブの開閉動作が行われていないと判定した場合に、バルブの通過漏れが発生しない範囲内又は流量を満足する範囲内の角度で、二次電源部に充電された電力を用いてＤＣモータを微動動作させる自己アイドリング機能を有すると共に、微動動作時のＤＣモータに電流が流れていない場合には、少なくともＤＣモータにおけるコンミテータの接触不良と診断する自己診断機能を有するバルブ用電動アクチュエータである。
【００２２】
請求項２に係る発明は、前記バルブは、バタフライバルブ又はボールバルブであり、バタフライバルブの場合における前記微動動作は、開度０〜８％、あるいは開度９０〜１００％の範囲内で行うようにしたバルブ用電動アクチュエータである。
【００２３】
請求項３に係る発明は、バルブ用電動アクチュエータを搭載した緊急遮断弁・緊急開放弁である。
【００２４】
請求項４に係る発明は、感震器に接続された緊急遮断弁・緊急開放弁である。
【００２５】
請求項５に係る発明は、バルブをＤＣモータで開閉する電動アクチュエータであって、電源供給部と二次電源部を制御部を介してＤＣモータに接続し、制御部は、一定期間内にバルブの開閉動作が行われていないと判定した場合に、バルブの通過漏れが発生しない範囲内又は流量を満足する範囲内の角度で、二次電源部に充電された電力を用いてＤＣモータを微動動作させる自己アイドリング機能を有すると共に、微動動作時のＤＣモータに電流が流れていない場合には、少なくともＤＣモータにおけるコンミテータの接触不良と診断する自己診断機能を有するバルブ用電動アクチュエータの異常診断方法である。
【００２８】
請求項６に係る発明は、バルブは、バタフライバルブ又はボールバルブであり、バタフライバルブの場合における前記微動動作は、開度０〜８％、あるいは９０〜１００％の範囲内で行うようにしたバルブ用電動アクチュエータの異常診断方法である。
【発明の効果】
【００２９】
請求項１又は５に係る発明によると、アクチュエータを微動動作させる際にＤＣモータの電機子に流れる電流値が異常な値であるときは、ＤＣモータの軸受、ギア軸受等の固着、ギアのグリス切れ、バルブステムの固着、バルブのボール、ジスクの固着、噛み込み等のようにＤＣモータを含むバルブ用電動アクチュエータの機構部又はアクチュエータを取付けたバルブに異常が発生していると判断する。これにより、所要の整備又は部品の交換等を行うようにすれば、アクチュエータに発生した不具合を排除してアクチュエータの機能を正常な状態に復することができ、当該電動アクチュエータを搭載したバルブの緊急遮断弁もしくは緊急開放弁としての信頼性を回復、維持することができる。また、一定期間内のバルブの開閉動作を判定する自己アイドリング機能を発揮し、この自己アイドリング機能により、緊急時に確実に緊急遮断弁又は緊急開放弁として作動させることができる。しかも、ＤＣモータの電機子を流れる電流値、電気二重層コンデンサの充電状況の計測結果から不具合の有無を判断できることから、不具合の発生時には所要の警告を発することができ、緊急時に確実に緊急遮断弁又は緊急開放弁として作動させることができる。
【００３０】
請求項２に係る発明によると、微動動作の範囲内でバタフライバルブの円板状のジスクの揺動範囲を設定することで、ボールバルブと同様に、信頼性を高めたバルブ用電動アクチュエータを得ることができる。
【００３１】
請求項３に係る発明によると、電動アクチュエータを搭載した精度の高い緊急遮断弁・緊急開放弁を提供することができる。
【００３２】
請求項４に係る発明によると、地震発生時にも外部からの強制入力によりバルブ用電動アクチュエータを緊急用電動アクチュエータとして確実に作動させることができる。
【００３６】
請求項６に係る発明によると、微動動作の範囲内でバタフライバルブの円板状のジスクの揺動範囲を設定することで、ボールバルブと同様に、信頼性を高めつつ異常診断を実施できる。
【図面の簡単な説明】
【００３７】
【図１】本発明に係るバルブ用電動アクチュエータの構成を説明するブロック線図である。
【図２】全閉状態のボール弁体の揺動状況を説明する模式図である。
【図３】全開状態のボール弁体の揺動状況を説明する模式図である。
【図４】本発明に係るバルブ用電動アクチュエータをボールバルブに搭載した状態を示す部分断面図である。
【図５】（ａ）ＤＣモータのコンミテータの表面に酸化被膜が形成された状況を示す模式図である。（ｂ）ＤＣモータのコンミテータの表面に形成された酸化被膜が、揺動回転によるブラシとの摩擦により除去された状況を示す模式図である。
【図６】自己アイドリング機能と自己診断機能の動作を説明するフローチャートである。
【図７】電気二重層コンデンサの充放電特性を示す図である。
【発明を実施するための形態】
【００３８】
以下、本発明に係るバルブ用電動アクチュエータの実施の形態を図面に基づいて詳細に説明する。
【００３９】
図１は、本発明に係るバルブ用電動アクチュエータの構成を示すブロック線図であり、同図において、１はバルブ用電動アクチュエータ、２はこのバルブ用電動アクチュエータによって制御されるバルブを示す。
【００４０】
図１において、バルブ用電動アクチュエータ１は、操作部３と、電源供給部４と、二次電源部５と、制御部６と、モータ駆動回路７と、直流モータ（ＤＣモータ）８と、ギア列９と、出力軸１０と、位置検出器１１と、警報部１２とを備えている。
【００４１】
操作部３は、バルブ用電動アクチュエータ１の作動を外部から操作するために使用し、操作目的により動作モード切替操作機能、強制作動入力機能、リセット機能の各機能を適宜選択して操作することができる。
【００４２】
操作部３は、動作モード切替機能により、バルブ用電動アクチュエータ１を搭載したバルブ２を緊急遮断弁として使用するか若しくは緊急開放弁として使用するかの選択を行うことができる。本機能により、バルブ用電動アクチュエータ１を搭載したバルブ２をその使用箇所に応じ、緊急遮断弁若しくは緊急開放弁として簡単に使い分けることができる。
【００４３】
操作部３は、強制作動入力機能により、手動に操作により若しくは感震器からの信号等を入力することにより、制御部６の制御に優越させてバルブ用電動アクチュエータ１を作動させることができる。本機能により、停電発生時以外の緊急時、例えば、地震発生時や配管の損傷事故発生時等にも外部からの強制入力によりバルブ用電動アクチュエータ１を緊急用電動アクチュエータとして作動させることができる。
【００４４】
また、操作部３は、リセット機能により、バルブ用電動アクチュエータ１を搭載したバルブ２が緊急遮断弁若しくは緊急開放弁として作動した後に、緊急作動したバルブ用電動アクチュエータ１の作動状況を動作モード切替操作機能で設定した通常時の作動状態へ復帰させることができる。本機能により、緊急作動したバルブ２を面倒な手動操作をすることなく通常の作動状態に自動的に復帰させることができる。
【００４５】
電源供給部４は、バルブ用電動アクチュエータ１に作動用の電力を供給するため、交流／直流変換回路を備えており、外部交流電源１３を直流に変換して二次電源部５及び制御部６に供給する。
【００４６】
二次電源部５は、外部交流電源１３の停電時、又は後述する自己アイドリング機能の実行時に制御部６に電力を供給するため、二次電池充電回路及び複数個を直列に接続した電気二重層コンデンサ１４を備えている。二次電池充電回路は、電源供給部４から供給された直流電力を定電圧・定電流で電気二重層コンデンサ１４に供給して充電する。
【００４７】
電気二重層コンデンサ１４は、図４に示すように、複数個の電気二重層コンデンサ１４ａを直列に接続して形成しているため、出力電圧を高くすることができる。このため、昇圧回路を経ることなくそのままＤＣモータ８に接続して駆動させることができるので、二次電源部５の構造を簡単にすることができるだけでなく、製造コストを低減させることができる。
【００４８】
制御部６は、操作部３での操作に基づき、バルブ用電動アクチュエータ１の作動を制御する部位であり、その制御に必要な電源供給部出力監視機能、電源切替機能、バルブ開閉制御機能、２次充電制御機能、自己アイドリング機能、自己診断機能を有している。
【００４９】
制御部６は、電源供給部監視機能により電源供給部４の出力電圧を常時監視し、その出力電圧が低下した場合には外部交流電源１３に停電が発生したものと判断するとともに、電源切替機能により制御部６に対する電源供給源を電源供給部４から２次電源部５に切り替え、バルブ開閉制御機能により予め操作部３で設定した動作モードに従ってバルブ用電動アクチュエータ１を作動させ、バルブ２を全開状態又は全閉状態にする。これらの機能により、外部交流電源１３の供給が停止されるような緊急時においても、確実にバルブ用電動アクチュエータ１の制御及び作動を継続することができ、確実にバルブ２を全閉状態又は全開状態にすることができる。
【００５０】
また、制御部６は、二次充電制御機能により、ＤＣモータ８作動後に電源供給部４から電力を供給させて電気二重層コンデンサ１４を充電するとともにその充電状況を監視するが、電気二重層コンデンサ１４の充電電圧が既定の電圧に達するまでの間は、操作部３により入力された動作モードの選択又は強制作動入力の受付を禁止する。本機能により、電気二重層コンデンサ１４の充電時間を外部からの影響を受けることなく正確に計測することができ、電気二重層コンデンサ１４の劣化状況を正しく把握することができる。
【００５１】
さらに制御部６は、自己アイドリング機能により、緊急事態の発生とは関係なく定期的、かつ自動的にＤＣモータ８を揺動回転させ、バルブ２の通過漏れが発生しない角度範囲内、又は最大流量を満足する角度範囲内でバルブ２の弁体を揺動させる。本機能により、ＤＣモータ８を含むバルブ用電動アクチュエータ１の内部機構が作動するので、電気接点の酸化防止、ギア列９などの油切れを防止することができるとともに、弁体の揺動作動により弁体及びステムの固着を防止し、緊急遮断弁もしくは緊急開放弁としての機能を維持することができる。この自己アイドリング機能は、後述する二次電池によるＤＣモータ８の揺動運転の他、電源供給部４から供給される商用電源によるＤＣモータ８の揺動運転によっても実現することができる。
【００５２】
以上の機能に加え、制御部６は、自己診断機能により定期的に実施されるバルブ用電動アクチュエータ１の自己アイドリング時にＤＣモータ８を流れる電流を計測し、電流が計測されない場合や異常な電流値が計測された場合には、ＤＣモータ８を含むバルブ用電動アクチュエータ１の機構部又は当該アクチュエータを取付けたバルブ２に異常が発生していると診断し、警報部１２に異常発生信号を伝達する。本機能により、バルブ用電動アクチュエータ１及び当該アクチュエータを搭載したバルブ２に発生した不具合を早期に把握し、所要の整備又は故障部品の交換をすることができる。
【００５３】
モータ駆動回路７は、制御部６のバルブ開閉制御機能からＤＣモータ８の動作指令を受け、操作部３により予め設定された動作モードに従ってＤＣモータ８が回転するように、電源供給部４又は２次電源部５から供給される直流電力をＤＣモータ８に供給する。
【００５４】
ＤＣモータ８は、モータ駆回路７から直流電力の供給を受けて駆動し、モータの回転軸に直結したギア列９に動力を伝達する。
【００５５】
ギア列９は、ＤＣモータ８から伝達された動力を、回転数を減速すると共にトルク増幅させて最終段ギアに取付けられた出力軸１０に伝える。出力軸１０には、バルブ２のステム１５が連結され、図示しない弁体を回動させてバルブ２を開閉する。
【００５６】
位置検出器１１は、出力軸１０の回転角度を検知してバルブ２の開度を制御する機能を有しており、図示しない主リミットスイッチと同じく図示しない補助リミットスイッチとから構成されている。主リミットスイッチは、バルブ２の弁体を全開、全閉位置で停止させるためのスイッチであり、補助リミットスイッチは、バルブ２の通過漏れが発生しない範囲内又は最大流量を満足する範囲内でバルブ２の弁体を揺動させる際に、弁体の揺動角度を通過漏れが発生しない角度内又は最大流量を満足する角度内に規制するためのスイッチである。なお、補助リミットスイッチに変えて、その他のセンサを用いてもよく、或いは揺動角度を予め制御部６に入力し、この入力された角度分だけ揺動するようにしても良い。
【００５７】
主リミットスイッチと補助リミットスイッチは、それぞれ開側、閉側に置かれ、出力軸１０に固定した開閉４個のカム１６によってそれぞれＯＮ−ＯＦＦ作動する。主リミットスイッチはＤＣモータ８へ直流電力を供給する回路に直列に配線され、それぞれバルブ２の弁体の全開、全閉位置で作動するように調整して取付け、ＤＣモータ８への電力を直接切断することにより、バルブ用電動アクチュエータ１の出力軸１０の回転を弁体の全開、全閉位置で停止させる。補助リミットスイッチは、バルブを通常時は全閉状態である緊急開放弁として使用する場合には、全閉側にバルブ２の通過漏れが発生しない程度の弁体の揺動角度α（バルブ流路の中心線を起点に３度〜６度の角度範囲）に調整して取付け、バルブを通常時は全開状態である緊急遮断弁として使用する場合には、全開側にバルブの最大流量を満足する弁体の揺動角度（バルブ流路の中心線を起点に８４度〜８７度の角度範囲）に調整して取付ける。前記の揺動角度はあくまでも一例であり、弁体の揺動角度は、バルブの構造や呼び径によって各々設定する必要がある。例えば、呼び径が３／８Ｂ〜１０Ｂのフローティング型ボールバルブでは、呼び径に対応して６度〜１５度の角度範囲で設定する。
【００５８】
図２は、バルブを緊急開放弁として使用するため補助リミットスイッチを全閉側に取付けた場合の模式図を示している。ステム側から見たボール弁体１７の揺動角度１８は、バルブ流路の中心線１９を挟み、ボール弁体１７の外周表面２０とボールシート２１の接触面２２全周とが密接する範囲内に制限されており、ボール弁体１７の流路２４が開放されることはなく、流体のバルブ通過漏れは発生しない。なお、図中の矢印はバルブの流路方向を示す。
【００５９】
また、図中、実線で示した弁体はボール弁体１７の流路２４がバルブ流路の中心線１９と直交する位置にある全閉状態のボール弁体１７を示し、一点鎖線で示した弁体はボール弁体１７を図の時計方向に揺動角度＋α（例えば＋３度）まで揺動した全閉状態のボール弁体１７を示し、二点鎖線で示した弁体はボール弁体１７を図の反時計方向に揺動角度−α（例えば−３度）まで揺動した全閉状態のボール弁体１７を示す。実線で示した場合、一点鎖線で示した場合、二点鎖線で示した場合のいずれ場合であっても、ボール弁体１７の揺動角度は少なくともボール弁体１７の外周表面２０とボールシート２１の接触面２２全周とが密接する範囲内に制限されていればよく、本実施例においては、実線で示した場合、一点鎖線で示した場合、二点鎖線で示した場合のいずれの場合であっても、接触面２２の幅ｘの全面にわたって、ボール弁体１７の外周表面２０とボールシート２１の接触面２２が接している。バルブの全閉状態が維持され、通過漏れが発生しない範囲であれば、ボール弁体１７の外周表面２０とボールシート２１の接触面２２との接触が幅ｘを下回るまで、ボール弁体１７の揺動角度を大きくしてもよい。
【００６０】
図３は、バルブを緊急遮断弁として使用するため補助リミットスイッチを全開側に取付けた場合の模式図を示している。ステム側から見たボール弁体１７の揺動角度２５は、バルブ流路の中心線１９に直交する基線２６（通常、閉弁時のボール弁体１７の流路２４の中心線と一致する。）を挟み、ボール弁体１７の外周表面２０とボールシート２１の接触面２２全周が密接する範囲内に制限されており、ボール弁体１７の流路２４の面積が縮小されることがなく、バルブの最大流量が維持される。なお、図中の矢印はバルブの流路方向を示す。
【００６１】
また、図中、実線で示した弁体は、ボール弁体１７の流路２４がバルブ流路の中心線１９と平行する位置にある全開状態のボール弁体１７を示し、一点鎖線で示した弁体は、ボール弁体１７を図の時計方向に揺動角度＋α（例えば＋３度）まで揺動した全開状態のボール弁体１７を示し、二点鎖線で示した弁体は、ボール弁体１７を図の反時計方向に揺動角度−α（例えば−３度）まで揺動した全開状態のボール弁体１７を示す。実線で示した場合、一点鎖線で示した場合、二点鎖線で示した場合のいずれの場合でも、ボール弁体１７の揺動角度は、少なくともボール弁体１７の外周表面２０とボールシート２１の接触面２２全周とが密接する範囲内に制限されていればよく、本実施例においては、実線で示した場合、一点鎖線で示した場合、二点鎖線で示した場合のいずれの場合でも、接触面２２の幅ｘの全面にわたって、ボール弁体１７の外周表面２０とボールシート２１の接触面２２が接している。バルブの全開状態が維持され、バルブの最大流量を満足する範囲内であれば、ボール弁体１７の外周表面２０とボールシート２１の接触面２２との接触が幅ｘを下回るまで、ボール弁体１７の揺動角度を大きくしてもよい。
【００６２】
警報部１２は、制御部６の自己診断機能により不具合の発生が診断され、異常発生し信号が伝達されてきた場合に、その不具合内容を表示する。なお、警報部１２は、必ずしも独立した機能としてバルブ用電動アクチュエータ１に設ける必要はなく、例えば、制御部６に設けたインターフェース回路から制御信号を出力し、別途、外部の器材に警報を表示させるようにすることもできる。配管のバルブ類を一括して遠隔操作する場合には、インターフェース回路から制御信号を出力させ、制御室の器材に不具合内容を表示させる方が運用性に優れている。
【００６３】
図４は本発明に係るバルブ用電動アクチュエータ１をボールバルブ２６に搭載した状態を示す部分断面図である。本図において、操作部３、電源供給部４、二次電源部５及び制御部６等は、ＤＣモータ８及びギア列９等を収納した筐体２７とは別の筐体２８に収納され、前記筐体２７の側面に付設されているが、本発明に係るバルブ用電動アクチュエータの実施形態はこのような形態に限られるものではなく、操作部３、電源供給部４、二次電源部５及び制御部６等をＤＣモータ８及びギア列９等と一緒に同一の筐体に収納しても何ら問題ないのはもちろんである。
【００６４】
次に、本発明に係るバルブ用電動アクチュエータ１をボールバルブに搭載し、緊急遮断弁又は緊急開放弁とし動作させる場合を説明する。外部交流電源１３をバルブ用電動アクチュエータ１の電線管口２９に接続した後、操作部３の動作モード切替機能を使用し、バルブ用電動アクチュエータ１の動作モードを緊急遮断弁とするか又は緊急開放弁とするかを選択する。
【００６５】
外部交流電源１３が供給されると、二次電源部５は、電源供給部のＡＣ／ＤＣ変換回路の二次側直流電力を２次電池充電回路で定電圧、定電流にて電気二重層コンデンサ１４を充電する。制御部６は、電気二重層コンデンサ１４の充電電圧を監視するとともに、電気二重層コンデンサ１４の充電電圧が既定の電圧に達するまでの間は、操作部３により入力された動作モードの選択又は強制作動入力の受付を禁止し、バルブ用電動アクチュエータ１の停止状態を維持する。また、制御部６は自己診断機能により電気二重層コンデンサ１４の充電電圧及び充電時間の計測を行い、既定の時間内に既定の充電電圧に充電が完了しない場合には、電気二重層コンデンサ１４の不具合と判断し、警報信号を発する。
【００６６】
電気二重層コンデンサ１４の充電が完了すると、制御部６は操作部３で設定された動作モードの信号を判読判断して、モータ駆動回路７にＤＣモータ８の動作指令を与える。これにより、ＤＣモータ８は動作モードに従う方向に回転する直流電力をからモータ駆動回路７供給され、バルブ２の弁体が全開もしくは全閉となった状態で停止し、緊急遮断弁もしくは緊急開放弁としてこの状態を維持する。
【００６７】
緊急遮断弁又は緊急開放弁として使用されている間に停電が発生した場合には、制御部６の内部で以下の順序で制御が行われる。電源供給部４の出力電圧を常時監視している電源供給部出力監視機能は、出力電圧が低下すると同時に外部交流電源１３に停電が発生したと判断する。電源供給部出力監視機能から停電発生の信号を受信した電源切替機能は、制御部６に電力を供給する電源を電源供給部４からに二次電源部５に切替える。次に、バルブ開閉機能はモータ駆動回路７に対し、操作部３により予め設定した動作モードに従ってバルブ２を開閉動作させる方向に回転する直流電力をＤＣモータ８に供給するように指令し、バルブ２の弁体は設定された動作モードに従い、緊急遮断弁もしくは緊急開放弁として機能する位置に回動して停止する。
【００６８】
また、地震の発生による外部の感震器からの信号入力や、配管の破損等に伴う操作員の強制入力が操作部３の強制作動入力機能により入力された場合にも、上記と同じ制御が制御部６により行われ、バルブ２の弁体は設定された動作モードに従い、緊急遮断弁もしくは緊急開放弁として機能する位置に回動して停止する。
【００６９】
外部交流電源１３の停電が復旧した場合は、自動的に二次電源部５の電気二重層コンデンサ１４に充電が開始されるので、電気二重層コンデンサ１４の充電が完了した後に操作部３からリセット信号を入力することで通常の動作モードに復帰させることができる。
【００７０】
緊急遮断弁及び緊急開放弁は正に緊急時に作動させるものであり、通常状態では作動することはなく、例えバルブの定期点検時に作動点検を行ったとしても、作動するのは１年に１回程度がせいぜいである。緊急遮断弁及び緊急開放弁を長期間作動させないでおくと、図５（ａ）に示すように、アチュエータ側ではＤＣモータ８のコンミテータ３０の表面３１に酸化被膜３２が生成することによる接触不良、モータの軸受及びギア列の油切れが発生することが  、バルブ側では弁のステムの固着、接液しているボールとボールシート間へのスラッジ堆積によるステムトルクの上昇等の現象が発生することが考えられる。このため、緊急時に作動不良により全開状態又は全閉状態にすることができないおそれがあるが、緊急遮断弁又は緊急開放弁は、その使用目的から緊急時に確実に作動しなければならず、作動しない場合には周囲に大きな被害が発生するおそれもある。
【００７１】
本発明に係るバルブ用電動アクチュエータでは、緊急時に確実に緊急遮断弁又は緊急開放弁として作動させるため、制御部６に自己アイドリング機能と自己診断機能を備え、緊急遮断弁又は緊急開放弁としての信頼性を維持、回復できるようにしている。制御部６は、自己アイドリング機能により、内蔵した停止カウントタイマにより一定期間内（例えば過去１ヶ月内）に１度もバルブの開閉動作が行なわれていないと判定した場合に、バルブの通過漏れが発生しない範囲内又は最大流量を満足する範囲内の角度で弁体を揺動させる。また、制御部６は、自己診断機能により、自己アイドリング実施時にＤＣモータの電機子を流れる電流値、電気二重層コンデンサの充電状況を計測し、その計測結果に基づき不具合の有無を判断して、不具合が発見された場合には所要の警告を発する。
【００７２】
以下、図６を参照してバルブ用電動アクチュエータ１の自己アイドリング機能と自己診断機能の作動を説明する。先ず操作員が操作部３から動作モード切替操作機能又はリセット機能により入力することにより、制御部６の停止カウントタイマのリセットが行なわれる（ステップＳ０１）。
【００７３】
停止カウントタイマのリセットが行なわれた後、停止カウントタイマにより使用時間の計測が行なわれ（ステップＳ０２）、一定の期間、例えば一ヶ月停止と判断されると（ステップＳ０３）、制御部６の電源切替機能により制御部６への電源の供給源を電源供給部４から２次電源部５に切替え、電気二重層コンデンサ１４をＤＣモータ８に接続し（ステップＳ０４）、制御部６はＤＣモータ８を揺動運転する（ステップＳ０５）。
【００７４】
ＤＣモータ８の揺動運転において弁体が揺動する角度はわずかであるが、ギア列９の減速比は大きいため、ＤＣモータ８は十分に回転する。本実施例のバルブ用電動アクチュエータ１では、ギア列９の減速比を１３４８：１としており、出力軸１０を３度分回転させるに必要なＤＣモータ８の回転回数は１１．２回となる。このため、出力軸１０を３度程度微動動作させる分だけＤＣモータ８を揺動回転させたとしても、ＤＣモータ８のブラシ３３とコンミテータ３０の表面３１は十分に擦り合わされ、その時の摩擦によってコンミテータ３０の表面３１がクリーニングされるので、図５（ｂ）に示すように、酸化被膜が除去され、ブラシ３３とコンミテータ３０間の電気的接触を良好に保つことができる。同時に、ＤＣモータ８の軸受部全体にもこの揺動回転により十分に潤滑油が供給される。
【００７５】
また、同時にボール弁体３４もバルブ用電動アクチュエータ１の出力軸１０と同じ角度だけ揺動するので、この揺動によりステムの固着を回避できるとともに、ボール弁体３５とジスクシート間に堆積したスラッジを除去することができ、バルブ側で固着が発生することを防止できる。
【００７６】
この自己アイドリングにおいては、この他のバルブ用電動アクチュエータ１のギア列９も揺動回転し、主・副リミットスイッチも作動するので、ギア列９の潤滑状況及び主・福リミットスイッチの接点の酸化状況を改善し、バルブ用電動アクチュエータ１の作動不良を防止する効果がある。
【００７７】
また、ＤＣモータ８の揺動運転を行う際に、制御部６は電流検出器でＤＣモータ８の電機子を流れる電流を計測し（ステップＳ０６）、電流が流れていない場合には、ＤＣモータ８のコンミテータ３０の表面３１に酸化被膜３２が生じたことによる接触不良と判断してモータ駆動回路７によりＤＣモータ８への電力の供給を停止し、モータ接触不良の警報を発する（ステップＳ０７）。
【００７８】
また、異常な値の電流値を計測した場合には（ステップＳ０８）、ＤＣモータ８の軸受、ギア列９の軸受の固着、ギアのグリス切れ、バルブステムの固着、ボールの固着、噛み込み等が予測されるため、機構部異常の警報を発する（ステップＳ０９）。
【００７９】
このＤＣモータ８の揺動運転時に制御部６は、図７に示すＤＣモータ８の揺動運転前後における電気二重層コンデンサ１４の揺動運転電圧変化ΔＶ１ｓを読み取り、ΔＶ１ｓが予め設定した電圧変化幅を超えた場合には電気二重層コンデンサ１４の劣化と判定し（ステップＳ１０）、電気二重層コンデンサの寿命警報を発する（ステップＳ１１）。
【００８０】
ＤＣモータ８の揺動運転をした後、制御部６は、ＤＣモータ８への通電を禁止した状態で、電源供給部４から二次電源充電回路を介して電気二重層コンデンサ１４を定電流で直流電力を供給し、電気二重層コンデンサ１４を充電する（ステップＳ１２）。制御部６は、図７に示す、充電時に受電電圧幅ΔＶｃ（充電完了電圧−充電開始電圧）、及びその充電に要した充電時間ｔｃを計測し、その傾き「ΔＶｃ／ｔｃ」が予め設定した値を逸脱した場合には電気二重層コンデンサ１４の劣化と判定し（ステップＳ１３）、電気二重層コンデンサ１４の寿命警報を発する（ステップＳ１４）。
【００８１】
以上説明したように、本発明に係るバルブ用電動アクチュエータを搭載したバルブを緊急遮断弁又は緊急開放弁として使用すると、定期的かつ自動的に自己アイドリング機能によりＤＣモータの揺動運転を実施し、ＤＣモータのコンミテータ表面及びリミットスイッチ接点部のクリーニング、アクチュエータのギア列、軸受等の作動機構部の油切れの防止、ステムの固着回避、弁体とジスクとの間に堆積したスラッジの除去を行うとともに、その揺動運転と同時に自己診断機能によりバルブ用アクチュエータ内のＤＣモータ、ギア列、リミットスイッチ等、並びに電気二重層コンデンサの不具合発生状況を診断し、不具合が発生していた場合には警報が発せられるので、速やかに不具合部の整備、修理又は交換を行なうことにより、緊急遮断弁又は緊急開放弁としてのメンテナンスの信頼性を高めることができるので、その利用価値は非常に大きいものがある。
【００８２】
本発明は、ボールバルブの他、バタフライバルブにも適用することができる。バタフライバルブは、弁開度と流路との関係を示す流量特性グラフ（図示せず）において、開度０〜８％の範囲内では流量が０％であり、開度９０〜１００％の範囲内では流量が１００％近くに飽和するバルブである。従って、上述の範囲でバタフライバルブの円板状のジスクの揺動範囲を設定することで、ボールバルブと同様に、本発明に係るバルブ用電動アクチュエータを搭載したバルブの緊急遮断弁もしくは緊急開放弁としての信頼性を高めることができる。
【符号の説明】
【００８３】
１  バルブ用電動アクチュエータ
２  バルブ
３  操作部
４  電源供給部
５  ２次電源部
６  制御部
７  モータ駆動回路
８  ＤＣモータ
１１  位置検出器
１４  電気二重層コンデンサ
３０  コンミテータ
３２  酸化被膜
【図１】
0006285523.tif 000002
【図２】
0006285523.tif 000003
【図３】
0006285523.tif 000004
【図４】
0006285523.tif 000005
【図５】
0006285523.tif 000006
【図６】
0006285523.tif 000007
【図７】
0006285523.tif 000008